(57)【要約】【課題】記録可能状態と記録不可状態との切替えが行え、かつ、ユーザーがデータの保護が必要と判断した任意の時期に、永久に記録できない状態とすることが可能なテープカートリッジを提供する。【解決手段】ケース２と、ケース２内に収納された磁気テープと、磁気テープへの情報の記録を禁止可能とするライトプロテクト構造とを含むテープカートリッジであって、ライトプロテクト構造は、例えば、スライド可能なライトプロテクト部材３と、ライトプロテクト部材を所定のポジションに保持可能な保持部材（例えば、ガイド壁８）とを含み、保持部材は、ライトプロテクト部材３を、少なくとも第１のポジションおよび第２のポジションに可逆的に保持可能であり、第３のポジションに不可逆的に保持可能である。【選択図】図３
2006164432.tif 000002
【特許請求の範囲】
【請求項１】
ケースと、前記ケース内に収納された磁気テープと、前記磁気テープへの情報の記録を禁止可能とするライトプロテクト構造とを含むテープカートリッジであって、
前記ライトプロテクト構造は、スライドまたは回転可能なライトプロテクト部材と、前記ライトプロテクト部材を所定のポジションに保持可能な保持部材とを含み、
前記保持部材は、前記ライトプロテクト部材を、少なくとも第１のポジションおよび第２のポジションに可逆的に保持可能であり、第３のポジションに不可逆的に保持可能であることを特徴とするテープカートリッジ。
【請求項２】
前記ライトプロテクト部材は、所定の範囲をスライド可能であり、ケースの内部側に突出した係止片を含み、
前記保持部材は、前記ケースに固定されたガイド壁であり、
前記ガイド壁は、
前記係止片を保持して前記ライトプロテクト部材を前記第１のポジションに保持可能とする第１の係止部と、
前記係止片を保持して前記ライトプロテクト部材を前記第２のポジションに保持可能とする第２の係止部と、
前記係止片を保持して前記ライトプロテクト部材を前記第３のポジションに保持可能とし、かつ、第３のポジションに保持された前記ライトプロテクト部材の前記第２の係止部側への移動を阻止する第３の係止部とを、
前記ライトプロテクト部材のスライド方向に沿ってこの順に備えた請求項１に記載のテープカートリッジ。
【請求項３】
前記係止片は、その先端に突起を備え、
前記第３の係止部は、前記第２の係止部側に底面を有する凹部を含む請求項２に記載のテープカートリッジ。
【請求項４】
前記ガイド壁の前記第２の係止部と前記第３の係止部との間に貫通孔が形成されており、
前記テープカートリッジは、安全ロック部材をさらに含み、
前記安全ロック部材は、前記ケースの外側から操作可能な操作部と、前記操作部を操作することにより前記貫通孔を突き抜け可能なストッパー壁とを含む請求項２に記載のテープカートリッジ。
【請求項５】
前記ガイド壁は、前記第２の係止部と前記第３の係止部との間に設けられた第４の係止部をさらに備えた請求項２に記載のテープカートリッジ。
【請求項６】
前記保持部材は、前記ケースに固定された保持片であり、
前記ライトプロテクト部材は、略円筒状であり、その中心軸を中心に回転可能に前記ケースに固定されており、
前記ライトプロテクト部材は、
前記保持片を保持して前記ライトプロテクト部材を前記第１のポジションに保持可能とする第１の係止溝と、
前記保持片を保持して前記ライトプロテクト部材を前記第２のポジションに保持可能とする第２の係止溝と、
前記保持片を保持して前記ライトプロテクト部材を前記第３のポジションに保持可能とし、第１の係止溝および第２の係止溝よりも深い、第３の係止溝とが、
周方向に沿ってこの順で形成されている請求項１に記載のテープカートリッジ。
【請求項７】
前記ライトプロテクト部材は、前記第２の係止溝と前記第３の係止溝との間に設けられた第４の係止溝をさらに備えた請求項６に記載のテープカートリッジ。
【請求項８】
前記ライトプロテクト部材は、前記第２の係止溝を挟む前記第１の係止溝と前記第３の係止溝との間において、周方向に沿って形成された切り欠き部を含み、
前記テープカートリッジは、安全ロック部材をさらに含み、
前記安全ロック部材は、前記ケースの外側から操作可能な操作部と、前記操作部を操作することにより前記切り欠き部の周方向の両端壁と当接可能なストッパー壁とを含む請求項６に記載のテープカートリッジ。
【請求項９】
前記ケースに、センサーホールが形成されており、
前記ライトプロテクト部材は、前記センサーホールから見える被検出部を含む請求項１に記載のテープカートリッジ。
【発明の詳細な説明】
【技術分野】
【０００１】
本発明は、テープカートリッジに関する。
【背景技術】
【０００２】
テープカートリッジには、ユーザーが希望する時に、磁気テープに対する情報の記録を禁止できるよう、ライトプロテクト構造が設けられている。ライトプロテクト構造は、例えば、左右又は上下にスライド可能なライトプロテクト部材を備えている。このような従来のライトプロテクト構造では、一旦、テープカートリッジを記録不可状態とした後、記録可能状態へ戻すことができるので、必要に応じて、データの書換えが可能である（例えば、特許文献１参照）。
【０００３】
記録可否の判断は、例えば、ケースに形成されたセンサーホールに、ドライブの検知部材を挿入して、ライトプロテクト部材の位置を検知することにより行われる。例えば、センサーホールに所定の長さの検知部材が挿入された際に、検知部材がライトプロテクト部材に接した場合は、記録可能、検知部材がライトプロテクト部材に接しない場合は、記録不可と判断される。
【０００４】
爪を折ることによって書換えを禁止するタイプのテープカートリッジも知られている。
【特許文献１】特開２００４−９５０６９号公報
【発明の開示】
【発明が解決しようとする課題】
【０００５】
しかし、スライド可能なライトプロテクト部材を備えた従来のテープカートリッジでは、一旦、記録不可状態にした後、記録可能状態へ戻すことにより、データの書換えが可能である反面、記録したデータの改ざんを禁止することはできない。一方、爪を折ることによって書換えを禁止するタイプのテープカートリッジでは、一旦爪を折ってしまうと記録可能状態へ戻すことができないので、一時的に記録不可状態とし、必要に応じて記録可能状態へ戻すことはできない。
【０００６】
本発明は、記録可能状態と記録不可状態との切替えが行え、かつ、ユーザーがデータの保護が必要と判断した任意の時期に、永久に記録できない状態とすることが可能なテープカートリッジを提供する。
【課題を解決するための手段】
【０００７】
本発明のテープカートリッジは、ケースと、前記ケース内に収納された磁気テープと、前記磁気テープへの情報の記録を禁止可能とするライトプロテクト構造とを含むテープカートリッジであって、前記ライトプロテクト構造は、スライドまたは回転可能なライトプロテクト部材と、前記ライトプロテクト部材を所定のポジションに保持可能な保持部材とを含み、前記保持部材は、前記ライトプロテクト部材を、少なくとも第１のポジションおよび第２のポジションに可逆的に保持可能であり、第３のポジションに不可逆的に保持可能であることを特徴とする。
【０００８】
尚、本明細書において、ポジションとは、位置や場所のみならず、姿勢（向き）をも含む。従って、本発明では、第１のポジション、第２のポジションおよび第３のポジションは、互いに位置が異なる場合もあるが、位置は同じで、姿勢（向き）のみが異なる場合も含む。
【発明の効果】
【０００９】
本発明のテープカートリッジでは、保持部材が、ライトプロテクト部材を、少なくとも第１のポジションおよび第２のポジションに可逆的に保持可能であり、第３のポジションに不可逆的に保持可能であるので、記録可能状態と記録不可状態との切替えが行え、かつ、ユーザーがデータの保護が必要と判断した任意の時期に、永久に記録できない状態とすることが可能である。
【発明を実施するための最良の形態】
【００１０】
以下、本発明のテープカートリッジの一例を図面を用いて説明する。
【００１１】
（実施形態１）
図１のＡは、本実施形態のテープカートリッジの斜視図であり、図１のＢは、図１のＡのＤ部分の拡大図である。図２は、図１のＡに示したテープカートリッジのＩ−Ｉ'断面図である。図３のＡ〜Ｃは、図１のＡに示したテープカートリッジのライトプロテクト構造の一例を示した平面図であり、図１Ａの上蓋２ａを取り除いた状態を示した図である。
【００１２】
図１のＡ〜Ｂ、および図２に示すように、本実施形態のテープカートリッジ１は、ケース２と、ケース２内に収納された磁気テープ６とを含んでいる。ケース２は、上蓋２ａと下蓋２ｂとがビス等により締結されて形成されている。磁気テープ６は、ケース内に回動可能に収容されたリール７に巻き付けられており、ケース２から繰り出し可能である。ケース２内において、リール７は、軸２７を介して作用する圧縮コイルバネ２８により、この図において下方に押圧付勢されている。これにより、不使用時にはリール７が遊転することが防止されている。
【００１３】
テープカートリッジ１は、例えば、下記に示すようなライトプロテクト構造を含んでいる。ライトプロテクト構造は、ユーザーが希望する時に、磁気テープ６への情報の記録を禁止する目的で設けられている。
【００１４】
図１Ｂおよび図３Ａに示すように、ライトプロテクト構造は、ライトプロテクト部材３と、ガイド壁８とを含んでいる。ガイド壁８は、ライトプロテクト部材３を所定のポジションに保持可能な保持部材としての機能を有する。ライトプロテクト部材３は、例えば、ケース２に形成されたガイド溝２ｄに沿って所定の範囲をスライド可能である。
【００１５】
ライトプロテクト部材３は、つまみ部３ａと、ケース２の内部側に突出した係止片３ｂとを含んでいる。係止片３ｂは、その先端に突起３ｃを備えている。係止片３ｂは、例えば、略棒状であり、ガイド壁８と接することによって、弾性変形可能であると好ましい。つまみ部３ａは、ケース２の例えば背面に形成された操作窓２ｃ内に配置されており、ライトプロテクト部材３をケース２の外側から操作可能としている。つまみ部３ａは、手で左右へスライド可能であり、操作窓２ｃの上に表示された「ＯＮ」、「ＯＦＦ」、「ＷＯＲＭ（Ｗｒｉｔｅ Ｏｎｃｅ Ｒｅａｄ Ｍａｎｙ）」の下に配置することができる。
【００１６】
ガイド壁８は、係止片３ｂと直交するようにケース２に固定されている。ガイド壁８は、第１の係止部８ａと、第２の係止部８ｂと、第３の係止部８ｃとを、ライトプロテクト部材３のスライド方向に沿ってこの順で備えている。ガイド壁８は、ライトプロテクト部材３のスライド方向と平行に配置された板状部を含み、この板状部のライトプロテクト部材３と対向する面に、第１の係止部８ａ、第２の係止部８ｂ、および第３の係止部８ｃが形成されている。
【００１７】
ケース２の例えば側面には、センサーホール２ｅが形成されている。磁気テープへの記録の可否は、例えば、センサーホール２ｅから見えるライトプロテクト部材３の一部（被検出部３ｄ）に、ドライブの検知部材５が接するか否かによって判断される。
【００１８】
図１Ｂおよび図３Ａに示すように、つまみ部３ａを「ＯＮ」の下に配置すると、係止片３ｂは、第１の係止部８ａに保持され、ライトプロテクト部材３は、第１のポジションに保持される（係止片３ｂが、第１の係止部８ａに一時係止されることにより、ライトプロテクト部材３が、ガイド壁８により第１のポジションに保持される、とも言える。）。
【００１９】
ライトプロテクト部材３が第１のポジションに保持された状態では、ライトプロテクト部材３の被検出部３ｄは、例えば、センサホール２ｅ内に存在する。この状態にあるテープカートリッジをドライブに挿入すると、ドライブの検出部材５はライトプロテクト部材３の被検出部３ｄに接し、ドライブは、テープカートリッジが記録可能状態にあることを認識する。
【００２０】
次に、図１Ｂおよび図３Ｂに示すように、つまみ部３ａを「ＯＦＦ」の下に配置すると、係止片３ｂは、第２の係止部８ｂに保持され、ライトプロテクト部材３は、第２のポジションに保持される（係止片３ｂが、第２の係止部８ｂに一時係止されることにより、ライトプロテクト部材３が、ガイド壁８により第２のポジションに保持される、とも言える。）ライトプロテクト部材３の被検出部３ｄは、ケース２内の奥へと引き込まれる。この状態にあるテープカートリッジをドライブに挿入すると、ドライブの検出部材５は、被検出部３ｄに接しない。これにより、ドライブは、磁気テープに対して記録できないことを認識する。ただし、つまみ部３ａを「ＯＦＦ」の下から「ＯＮ」の下に戻せば、テープカートリッジ１を、記録不可状態から記録可能状態へと戻すことができる。
【００２１】
次に、図１Ｂおよび図３Ｃに示すように、つまみ部３ａを「ＷＯＲＭ」の下に配置すると、係止片３ｂの先端の突起３ｃが第３の係止部８ｃに係止される。これにより、ライトプロテクト部材３が第３のポジションに保持されるとともに、ライトプロテクト部材３の第２の係止部８ｂ側への移動が阻止される。ライトプロテクト部材３の検出部３ｄは、ケース２内のより逸そう奥へと引き込まれる。この状態にあるテープカートリッジをドライブに挿入すると、ドライブの検出部材５は、被検出部３ｄに接しない。これにより、ドライブは、磁気テープに対して記録できないことを認識する。したがって、ライトプロテクト部材３が、一旦、第３のポジションに保持されると、テープカートリッジ１は、記録永久不可状態となる。
【００２２】
上述のとおり、テープカートリッジ１では、保持部材としてのガイド壁８が、ライトプロテクト部材３を、第１のポジションと第２のポジションとに可逆的に保持可能であり、第３のポジションに不可逆的に保持可能であるので、記録可能状態と記録不可状態との切替えが行え、かつ、ユーザーがデータの保護が必要と判断した任意の時期に、永久に記録できない状態（記録永久不可状態）とすることが可能である。
【００２３】
第１の係止部８ａおよび第２の係止部８ｂは、係止片３ｂを一次的に保持可能であれば、その形状等について特に制限はない。第１の係止部８ａおよび第２の係止部８ｂは、例えば、図３Ａに示すように、それぞれ、１対の凸部を板状部のライトプロテクト部材３側の面に形成することによって形成された凸部間の溝部であると好ましい。凸部は、特に、中央部が周縁部よりも高くなった曲面を有する、例えば、半球状であると好ましい。第１の係止部８ａおよび第２の係止部８ｂが、１対の半球状の凸部間に形成された溝部であると、係止片３ｂに対する適度な保持力と、ライトプロテクト部材３のスライド操作性とを両立できるからである。尚、第１の係止部８ａおよび第２の係止部８ｂによって係止片３ｂを保持する力や、ライトプロテクト部材３のスライド操作性は、凸部の高さや、凸部の形状を調整することにより、任意に設定できる。
【００２４】
第３の係止部８ｃは、係止片３ｂを保持可能とし、第３のポジションに保持されたライトプロテクト部材３の第２の係止部８ｂ側へのスライドを阻止できる形状であれば特に制限はない。第３の係止部８ｃは、例えば、第２の係止部８ｂ側に底面を有する凹部を含んでいると好ましい。上記凹部に係止片３ｂの突起３ｃを係止させることにより、ライトプロテクト部材３の第２の係止部８ｂ側へのスライドを確実に阻止できるからである。特に、第３の係止部８ｃは、例えば、第２の係止部８ｂ側から上記凹部側へ向う方向に高くなった曲面を有していると好ましい。突起３ｃの凹部への係止がスムーズに行えるからである。
【００２５】
係止片３ｂは、第１の係止部８ａおよび第２の係止部８ｂによって一時的に保持され、第３のポジションに保持されたライトプロテクト部材３の第２の係止部８ｂ側へのスライドを阻止できれば、その材料、形状等について特に制限はない。材料、形状等を適宜選択することにより、係止片３ｂの適切な特性、例えば、弾性、剛性等を決定すればいよい。係止片３ｂの材料は、例えば、ケース２と同じ材料、ポリカーボネート（ＰＣ）樹脂、アクリロニトリル−ブタジエン−スチレン（ＡＢＳ）樹脂、ポリオキシメチレン（ＰＯＭ）樹脂等であればよい。
【００２６】
また、図３Ａに示すように、ガイド壁８は、第２の係止部８ｂと第３の係止部８ｃとの間に設けられた第４の係止部８ｄをさらに備えていると好ましい。ガイド壁８が、第２の係止部８ｂと第３の係止部８ｃとの間に設けられた第４の係止部８ｄを備えていると、誤操作により、テープカートリッジがただちに記録永久不可状態とされることを抑制できる。
【００２７】
（実施形態２）
図４は、本実施形態のテープカートリッジの斜視図であり、図５のＡ〜Ｃは、図４に示したテープカートリッジのライトプロテクト構造の一例を示した平面図であり、図４の上蓋２ａを取り除いた状態を示した図である。
【００２８】
図４および図５に示すように、テープカートリッジ１１は、安全ロック部材９を備えており、ガイド壁８の第２の係止部８ｂと第３の係止部８ｃとの間に貫通孔８ｅが形成されている。テープカートリッジ１１は、これらのこと以外は、実施形態１のテープカートリッジと同様の構造をしており、同様の効果を有している。
【００２９】
安全ロック部材９は、操作部９ａと、ストッパー壁９ｂとを含んでいる。操作部９ａは、例えば、ケース２の例えば側面に形成された開口２ｆ内に配置されており、安全ロック部材９をケース２の外側から操作可能としている。安全ロック部材９のスライド方向は、ガイド壁８の板状部と直交しており、操作部９ａをスライド操作することにより、ストッパー壁９ｂは、貫通孔８ｅを突き抜け可能である。
【００３０】
図５のＡ〜Ｂに示すように、操作部９ａをこの図において上方向にスライドして、貫通孔８ｅからストッパー壁９ｂを抜き出さなければ、係止片３ｂの突起３ｃを、第３の係止部８ｃに係止することはできない。このように、テープカートリッジが、ライトプロテクト部材３の移動を制限可能とする安全ロック部材９を備えていると、誤操作により、テープカートリッジ１１がただちに記録永久不可状態とされることを抑制できる。
【００３１】
（実施形態３）
図６のＡは、本実施形態のテープカートリッジの斜視図であり、図６のＢおよびＣは、図６のＡに示したテープカートリッジを構成するライトブロテクト部材の斜視図である。図７〜図９のＡは、図６のＡに示したテープカートリッジのライトプロテクト構造を説明する平面図であり、図６のＡの上蓋２ａを取り除いた状態を示した図である。図７〜図９のＢは、図６のＡに示したテープカートリッジのライトプロテクト構造を説明する部分断面図である。尚、説明の都合上、図７〜図９のＢでは、ケース２のみを断面で表している。
【００３２】
図６〜図９に示すように、本実施形態のテープカートリッジ１１１は、ライトプロテクト部材３１と、ライトプロテクト部材３１を所定のポジションに保持可能な保持部材の形態以外は、実施形態２のテープカートリッジと同様の構造をしており、同様の効果を有している。
【００３３】
図６のＡ〜Ｃに示すように、ライトプロテクト部材３１は、略円筒状である。ライトプロテクト部材３１は、その中心軸を中心に回転可能にケース２に固定されている。
【００３４】
図６Ｂ〜Ｃに示した例では、ライトプロテクト部材３１には、貫通孔３１ｍが形成されている。貫通孔３１ｍに、ケース２の下蓋２ｂの支軸２ｈ（図７のＢ、図８のＢ、図９のＢ参照）が挿通されることによって、ライトプロテクト部材３１は、ケース２に、回転可能に固定される。支軸２ｈは、ケース２の上蓋２ａの軸受け２ｉ（図７のＢ、図８のＢ、図９のＢ参照）によって、ぐらつきが抑制されている。ライトプロテクト部材３１は、この支軸２ｈを中心に回転することにより、ライトプロテクト部材３１の中心軸を中心に回転することとなる。また、ライトプロテクト部材３１は、小径部３１ｋを備えている。プロテクタ部材３１は、ケース２の例えば背面に形成された操作窓２ｃ（図６Ａ参照）から回転操作可能である。
【００３５】
また、ライトプロテクト部材３１には、第１の係止溝３１ａと、第２の係止溝３１ｂと、第３の係止溝３１ｃとが、周方向に沿ってこの順に形成されている。第３の係止溝３１ｃは、第１の係止溝３１ａおよび第２の係止溝３１ｂより溝の深さが深い。これらの係止溝は、例えば、ほぼ１２０度間隔に形成されている。
【００３６】
図７〜図９に示すように、本実施形態のテープカートリッジでは、保持部材が、ケース２の所定の位置に固定された保持片１０である。保持片１０は、例えば、板状であり、その主面がケース２の厚み方向と平行になるように配置され、その一方の端部側のみがケース２に固定されている。保持片１０は、ライトプロテクト部材３１の表面に接することによって、弾性変形可能であると好ましい。
【００３７】
図７〜図９に示すように、ライトプロテクト部材３１の例えば底面には、深さの異なる複数の凹部３１ｄ，３１ｅ，３１ｆが被検出部として形成されている。これらの凹部は、約１２０度間隔に形成されている。磁気テープへの記録の可否は、センサーホール２ｇに挿入されたドライブの検知部材５が、例えば、凹部３ｄ，３１ｅ，３１ｆの底面に接するか否かにより判断される。即ち、検知部材５が凹部の底面に接した場合は、記録可能、検知部材５が凹部の底面に接しない場合は、記録不可と判断される。センサーホール２ｇは、例えば、ケースの下蓋２ｂの所定の箇所に形成されている。
【００３８】
ライトプロテクト部材３１を回転すると、図７のＡに示すように、保持片１０が第１の係止溝３１ａに保持され、ライトプロテクト部材３１が、保持片１０により第１のポジションに保持される（保持片１０が、第１の係止溝３１ａに一時係止されることにより、ライトプロテクト部材３１が、保持片１０により第１のポジションに保持される、とも言える。）。この状態では、図７のＢに示すように、凹部３１ｄとセンサーホール２ｇとが連通する。この状態にあるテープカートリッジをドライブに挿入すると、ドライブの検出部材５がライトプロテクト部材３の凹部３１ｄの底面に接し、ドライブは、テープカートリッジが記録可能状態にあることを認識する。
【００３９】
ライトプロテクト部材３１を回転すると、図８のＡに示すように、保持片１０が第２の係止溝３１ｂに保持され、ライトプロテクト部材３１が、保持片１０により第２のポジションに保持される（保持片１０が、第２の係止溝３１ｂに一時係止されることにより、ライトプロテクト部材３１が、保持片１０により第２のポジションに保持される、とも言える。）。この状態では、図８のＢに示すように、凹部３１ｆとセンサーホール２ｇとが連通する。この状態にあるテープカートリッジをドライブに挿入すると、ドライブの検出部材５は、凹部３１ｆの底面に接しない。これにより、ドライブは、磁気テープに対して記録できないことを認識する。
【００４０】
ライトプロテクト部材３１を回転すると、図９のＡに示すように、保持片１０が第３の係止溝３１ｃに保持されて、ライトプロテクト部材３１が、保持片１０により第３のポジションに保持される（保持片１０が、第３の係止溝３１ｃに係止されることにより、ライトプロテクト部材３１が、保持片１０により第３のポジションに保持される、とも言える。）。この状態では、図９のＢに示すように、凹部３１ｅとセンサーホール２ｇとが連通する。この状態にあるテープカートリッジをドライブに挿入すると、ドライブの検出部材５は、凹部３１ｅの底面に接しない。これにより、ドライブは、磁気テープに対して記録できないことを認識する。
【００４１】
第１の係止溝３１ａおよび第２の係止溝３１ｂは、保持片１０を一次的に保持可能であれば、その形状等について特に制限はない。第１の係止溝３１ａおよび第２の係止溝３１ｂの具体的形状については、保持片１０の弾性、剛性等を考慮して決定すればよい。
【００４２】
第３の係止溝３１ｃは、保持片１０により第３のポジションに保持されたライトプロテクト部材３１の回転を阻止できれば、その形状等について特に制限はない。第３の係止溝３１ｃの具体的形状については、保持片１０の弾性、剛性等を考慮して決定すればよい。
【００４３】
保持片１０は、第１の係止溝３１ａおよび第２の係止溝３１ｂによって一時的に保持され、第３のポジションに保持されたライトプロテクト部材３１の回転を阻止できれば、その材料、形状等について特に制限はない。材料、形状等を適宜選択することにより、保持片１０の適切な特性、例えば、弾性、剛性等を決定すればいよい。保持片１０の材料は、例えば、ケース２と同じ材料、例えば、ポリカーボネート（ＰＣ）樹脂、アクリロニトリル−ブタジエン−スチレン（ＡＢＳ）樹脂、ポリオキシメチレン（ＰＯＭ）樹脂等であればよい。
【００４４】
また、ライトプロテクト部材３１は、第２の係止溝３１ｂと第３の係止溝３１ｃとの間に設けられた第４の係止溝（図示せず）をさらに備えていると好ましい。ライトプロテクト部材３１が、第２の係止溝３１ｂと第３の係止溝３１ｃとの間に設けられた第４の係止溝を備えていると、誤操作により、テープカートリッジがただちに記録永久不可状態とされることを抑制できる。
【００４５】
また、図７〜図９に示すように、ライトプロテクト部材３１が、第２の係止溝３１ｂを挟む第１の係止溝３１ａと第３の係止溝３１ｃとの間において、周方向に沿って形成された切り欠き部３１ｇを含んでいると好ましい。また、テープカートリッジは、安全ロック部材９を備えていると好ましい。上記安全ロック部材９は、ケースの外側から操作可能な操作部９ａと、ストッパー壁９ｂとを含んでいる。図７のＡおよび図８のＡに示すように、ストッパー壁９ｂは、切り欠き部３１ｇ内に配置された状態で、切り欠き部３１ｇの周方向の両端壁３１ｈ，３１ｉと当接可能である。
【００４６】
しかし、図７のＡおよび図８のＡに示すように、操作部９ａをこの図において上方向にスライドして、切り欠き部３１ｇからストッパー壁９ｂを抜き出さなければ、保持片１０を第３の係止溝３１ｃに係止させることはできない（図９のＡ参照）。このように、テープカートリッジが、ライトプロテクト部材３１の回転を制限可能とする安全ロック部材９を備えていると、誤操作により、テープカートリッジがただちに記録永久不可状態とされることを抑制できる。
【００４７】
尚、カートリッジは、分解などによって磁気テープや部品の交換が行えないように、ケースの上蓋と下蓋とを、超音波で溶着したり、非規格品のネジで締結したりしてもよいし、ケースにスナップフィット構造を採用してもよいし、これらを組み合わせてもよい。また、分解した事が容易に分かる手段をテープカートリッジに設けてもよい。
【産業上の利用可能性】
【００４８】
本発明のテープカートリッジは、記録可能状態と記録不可状態との切替えが行え、かつ、ユーザーがデータの保護が必要と判断した任意の時期に、永久に記録できない状態とすることが可能であるので、バックアップ用のテープカートリッジとして有用である。
【図面の簡単な説明】
【００４９】
【図１】Ａは、実施形態１のテープカートリッジの一例を示す斜視図、Ｂは、ＡのＤ部分の拡大図
【図２】図１のＡに示したテープカートリッジのＩ−Ｉ'断面図
【図３】Ａは、図１のＡに示したテープカートリッジを構成するライトプロテクト部材が第１のポジションに保持された状態を示した平面図、Ｂは、上記ライトプロテクト部材が第２のポジションに保持された状態を示した平面図、Ｃは、上記ライトプロテクト部材が第３のポジションに保持された状態を示した平面図
【図４】実施形態２のテープカートリッジの一例を示す斜視図
【図５】Ａは、図４に示したテープカートリッジを構成するライトプロテクト部材が第１のポジションに保持された状態を示した平面図、Ｂは、上記ライトプロテクト部材が第２のポジションに保持された状態を示した平面図、Ｃは、上記ライトプロテクト部材が第３のポジションに保持された状態を示した平面図
【図６】Ａは、実施形態３のテープカートリッジの一例を示す斜視図、ＢおよびＣは、Ａに示したテープカートリッジを構成するライトプロテクト部材の一例を示した斜視図
【図７】Ａは、図６のＡに示したテープカートリッジを構成するライトプロテクト部材が第１のポジションに保持された状態を示した平面図、Ｂは、図６のＡに示したテープカートリッジを構成するライトプロテクト部材が第１のポジションに保持された状態を示した部分断面図
【図８】Ａは、図６のＡに示したテープカートリッジを構成するライトプロテクト部材が第２のポジションに保持された状態を示した平面図、Ｂは、図６のＡに示したテープカートリッジを構成するライトプロテクト部材が第２のポジションに保持された状態を示した部分断面図
【図９】Ａは、図６のＡに示したテープカートリッジを構成するライトプロテクト部材が第３のポジションに保持された状態を示した平面図、Ｂは、図６のＡに示したテープカートリッジを構成するライトプロテクト部材が第３のポジションに保持された状態を示した部分断面図
【符号の説明】
【００５０】
１，１１，１１１    テープカートリッジ
２                  ケース
２ｅ                センサーホール
３，３１            ライトプロテクト部材
３ｂ                係止片
３ｃ                突起
３ｄ                被検出部
６                  磁気テープ
８                  ガイド壁
８ａ                第１の係止部
８ｂ                第２の係止部
８ｃ                第３の係止部
８ｄ                第４の係止部
８ｅ                貫通孔
９                  安全ロック部材
９ａ                操作部
９ｂ                ストッパー壁
１０                保持片
３１ａ              第１の係止溝
３１ｂ              第２の係止溝
３１ｃ              第３の係止溝
３１ｄ，３１ｅ，３１ｆ  凹部
３１ｇ              切欠き部
３１ｈ、３１ｉ      両端壁
【図１】
2006164432.tif 000003
【図２】
2006164432.tif 000004
【図３】
2006164432.tif 000005
【図４】
2006164432.tif 000006
【図５】
2006164432.tif 000007
【図６】
2006164432.tif 000008
【図７】
2006164432.tif 000009
【図８】
2006164432.tif 000010
【図９】
2006164432.tif 000011